(57)【要約】【課題】ユーザが関心を持っていると想定される番組の番組情報を、ユーザに負担をかけずに見易く提示する。【解決手段】本発明に係る番組情報表示装置は、番組情報を表示する時点の時刻以降の時間帯のセルを大きく表示する。【選択図】図３
2011009954.tif 000002
【特許請求の範囲】
【請求項１】
番組情報を取得する番組情報取得部と、
時刻を取得する時刻取得部と、
前記番組情報を表形式のセル内に表示する番組情報表示部と、
を備え、
前記番組情報表示部は、
前記番組情報を表示する時点の時刻以降で同時刻に最も近い時間帯の番組情報を表示する前記セルを、前記番組情報を表示する時点の時刻以外の時間帯において当該セルを表示するときよりも大きく表示する
ことを特徴とする番組情報表示装置。
【請求項２】
前記番組情報表示部は、
前記番組情報を表示する時点の時刻以降で同時刻に最も近い時間帯の番組情報を表示する前記セルの時間軸方向のサイズを拡大して、前記番組情報を表示する
ことを特徴とする請求項１記載の番組情報表示装置。
【請求項３】
前記番組情報表示部は、
前記番組情報を表示する時点の時刻以降で同時刻に最も近い時間帯の番組情報を表示する前記セルを表示する際に、当該セルと同じ時間帯に属する他の前記セルの時間軸方向のサイズを、当該セルに同期して拡大して、前記番組情報を表示する
ことを特徴とする請求項２記載の番組情報表示装置。
【請求項４】
前記番組情報表示部は、
前記番組情報を表示する時点の時刻以降で同時刻に最も近い時間帯の番組情報を表示する前記セルを表示する際に、時間軸方向に当該セルと並んでいる他のセルのサイズを縮小して、前記番組情報を表示する
ことを特徴とする請求項２または請求項３記載の番組情報表示装置。
【請求項５】
前記番組情報表示部は、
前記番組情報を表示する時点の時刻から所定時間範囲内に含まれる時間帯の番組情報を表示する前記セルを、それ以外の時間帯において当該セルを表示するときよりも大きく表示する
ことを特徴とする請求項１から請求項４までのいずれか１項に記載の番組情報表示装置。
【請求項６】
前記番組情報表示部は、
前記番組情報を表示する時点の時刻以降で同時刻に最も近い時間帯の番組情報を表示する前記セルを表示する際に、時間軸方向のセル数を規定値以下にして、前記番組情報を表示する
ことを特徴とする請求項１から請求項５までのいずれか１項に記載の番組情報表示装置。
【請求項７】
前記番組情報上の時刻を指定する時刻指定部を備え、
前記番組情報表示部は、
前記時刻指定部が指定する時刻の番組情報を表示する前記セルを、前記時刻指定部が指定する時刻以外の時間帯において当該セルを表示するときよりも大きく表示する
ことを特徴とする請求項１から請求項６までのいずれか１項に記載の番組情報表示装置。
【請求項８】
前記番組情報表示部に対し、前記番組情報を表示する時点の時刻以降で同時刻に最も近い時間帯の番組情報を表示する前記セルを、前記番組情報を表示する時点の時刻以外の時間帯において当該セルを表示するときよりも大きく表示するか否かを指示する手段を備えた
ことを特徴とする請求項１から請求項７までのいずれか１項に記載の番組情報表示装置。
【請求項９】
番組情報を取得するステップと、
時刻を取得するステップと、
前記番組情報を表形式のセル内に表示する番組情報表示ステップと、
を有し、
前記番組情報表示ステップでは、
前記番組情報を表示する時点の時刻以降で同時刻に最も近い時間帯の番組情報を表示する前記セルを、前記番組情報を表示する時点の時刻以外の時間帯において当該セルを表示するときよりも大きく表示する
ことを特徴とする番組情報表示方法。
【請求項１０】
請求項９記載の番組情報表示方法をコンピュータに実行させることを特徴とする番組情報表示プログラム。
【請求項１１】
請求項１０記載の番組情報表示プログラムを格納したことを特徴とする記憶媒体。
【発明の詳細な説明】
【技術分野】
【０００１】
本発明は、番組情報を表示する技術に関するものである。
【背景技術】
【０００２】
近年、番組情報提供サービスの充実化にともない、テレビやレコーダなどの機器には、受信した番組情報を一覧表示する機能が搭載されている。これらの機器では、番組情報を用いて、番組探索、予約録画、予約視聴などができるようになっている。
【０００３】
番組情報は、時間軸と、時間軸に垂直なチャンネル軸とを有する表形式で表示されることが多い。各番組情報を表示するセルの時間軸方向のサイズは、各番組の番組開始時刻から番組終了時間時刻までの時間幅に相当する。このセルの中に、当該番組の番組情報が記述されている。
【０００４】
番組情報を表示する装置の画面サイズが十分でない場合、各セルのサイズが不足し、番組情報の一部を表示することができない場合があり、ユーザにとって不便である。そこで下記特許文献１では、カーソルにより選択された番組のセルを拡張し、その他の番組のセルを圧縮し、選択された番組を容易に識別できるようにしている。
【先行技術文献】
【特許文献】
【０００５】
【特許文献１】特開２００７−１９７０７号公報
【発明の概要】
【発明が解決しようとする課題】
【０００６】
上記特許文献１に記載の技術では、カーソルを用いてセルを選択しないとセルが拡張されないので、ユーザに操作負担をかけることになる。
【０００７】
本発明は、上記のような課題を解決するためになされたものであり、ユーザが関心を持っていると想定される番組の番組情報を、ユーザに負担をかけずに見易く提示することを目的とする。
【課題を解決するための手段】
【０００８】
本発明に係る番組情報表示装置は、番組情報を表示する時点の時刻以降で同時刻に最も近い時間帯のセルを大きく表示する。
【発明の効果】
【０００９】
本発明に係る番組情報表示装置によれば、ユーザに操作負担をかけることなく、現在時刻以降で同時刻に最も近い時間帯のセルを大きく表示して、番組情報を見易くすることができる。一般にユーザが関心を持っているのは、現在時刻以降の番組であることが多いと考えられるため、ユーザの関心に即した番組情報を見易く表示するという観点からも、上記手法は有用である。
【図面の簡単な説明】
【００１０】
【図１】実施の形態１に係る番組情報表示装置１００の機能ブロック図である。
【図２】従来の番組表の表示例を示す図である。
【図３】実施の形態１において表示部１４０が表示する番組情報の表示形式を示す図である。
【図４】番組情報の構成が図２〜図３とは異なる例を示す図である。
【図５】実施の形態２において表示部１４０が表示する番組情報の表示形式を示す図である。
【図６】実施の形態３において表示部１４０が表示する番組情報の表示形式を示す図である。
【図７】実施の形態４に係る番組情報表示装置１００の機能ブロック図である。
【図８】実施の形態４において表示部１４０が表示する番組情報の表示形式を示す図である。
【発明を実施するための形態】
【００１１】
＜実施の形態１＞
図１は、本発明の実施の形態１に係る番組情報表示装置１００の機能ブロック図である。番組情報表示装置１００は、テレビ番組の番組情報を記述した番組表を表示する装置であり、番組情報取得部１１０、時刻取得部１２０、制御部１３０、表示部１４０を備える。
【００１２】
番組情報取得部１１０は、番組情報を取得して制御部１３０に出力する。番組情報は、インターネットなどの通信ネットワークを介して取得してもよいし、放送波に含まれる番組表情報から取得してもよい。
【００１３】
時刻取得部１２０は、現在時刻を取得して制御部１３０に出力する。時刻を取得する手法としては、例えば以下のようなものが考えられる。
【００１４】
（時刻取得手法その１）時刻取得部１２０は、ネットワークを介して、標準時刻を提供する時刻サーバなどに接続し、その時刻を取得する。
（時刻取得手法その２）番組情報表示装置１００は、放送波受信装置を兼ねる。時刻取得部１２０は、放送波に含まれる時刻情報を取得する。
（時刻取得手法その３）時刻取得部１２０は、内部クロックなどを有し、現在時刻を自ら保持する。
【００１５】
制御部１３０は、番組情報取得部１１０が取得した番組情報を、表示部１４０に番組表の形式で画面表示させる。番組表の画面イメージについては、後述の図２などを用いて改めて説明する。
【００１６】
表示部１４０は、例えば液晶ディスプレイのような画面表示デバイスで構成される。
【００１７】
番組情報取得部１１０、時刻取得部１２０、制御部１３０は、これらの機能を実現する回路デバイスのようなハードウェアを用いて構成することもできるし、マイコンやＣＰＵ（Ｃｅｎｔｒａｌ  Ｐｒｏｃｅｓｓｉｎｇ  Ｕｎｉｔ）のような演算装置とその動作を規定するソフトウェアを用いて構成することもできる。これらの機能部を一体的に構成してもよい。
【００１８】
本発明における「番組情報表示部」は、制御部１３０、表示部１４０が相当する。
【００１９】
図２は、従来の番組表の表示例を示す図である。図２（ａ）はセルの拡張を行わない従来例、図２（ｂ）は特許文献１のようにフォーカスの当たっているセルを拡張する従来例を示す。なお図２では、ユーザがカーソルを用いて選択することによりフォーカスが当たっている番組情報セルを、矢印で示した。
【００２０】
図２（ａ）に示す例では、番組情報セルが小さいため、各番組の番組情報の１部が部分的に表示されていない。そのため、ユーザは番組情報を即座に把握することができず、不便を感じてしまう可能性がある。
【００２１】
図２（ｂ）に示す例では、フォーカスが当たっている＜番組情報３＞のセルについては、番組情報セルのサイズが時間軸方向に拡大されている。また、セルの拡大にともない、当該セルの放送時間にかかる時間帯の時間幅（ＰＭ７の時間帯）が拡大されている。そのため、＜番組情報３＞と同じ時刻に終了する＜番組情報６＞のセルも、時間軸方向に拡大されている。これらのセルに関しては、ユーザは図２（ａ）よりも多くの番組情報を即座に把握することができる。ただし、カーソルで選択されているセルおよびその同時間帯のセルのみサイズが拡大されるため、ユーザは拡大したいセルにカーソルを移動させなければならず、操作負担が発生する。
【００２２】
図３は、本実施の形態１において表示部１４０が表示する番組情報の表示形式を示す図である。ここでは、図２と同じ番組情報を用いた。なお、図３の画面を表示している時点の時刻を、１９：０３であると仮定する。
【００２３】
本実施の形態１において、制御部１３０、表示部１４０は、カーソルのフォーカスがあたっているか否かを問わず、番組表を画面表示する時点の時刻（現在時刻）以降で同時刻に最も近い時間帯のセルを、拡大表示する。そのため、ユーザはカーソルを移動させるなどの操作を行わなくとも、拡大されたセル内の番組情報を見ることができる。以下、図３の画面を表示する処理手順を、下記（ステップ１）〜（ステップ４）で説明する。
【００２４】
（ステップ１：番組情報を取得する）
番組情報取得部１１０は、適当なタイミングで番組情報を取得し、ＨＤＤ（Ｈａｒｄ  Ｄｉｓｋ  Ｄｒｉｖｅ：図示せず）などの記憶装置に格納しておく。番組情報を取得するタイミングの例として、以下のようなものが考えられる。
【００２５】
（ステップ１：番組情報の取得：番組情報取得タイミングの例その１）
番組情報表示装置１００が起動されたとき、番組情報取得部１１０は、所定の番組情報提供サーバなどにアクセスし、番組情報をダウンロードし、適当な記憶装置に格納する。
【００２６】
（ステップ１：番組情報の取得：番組情報取得タイミングの例その２）
番組情報表示装置１００が放送波の受信装置としての機能を兼ねる。ユーザがリモコンボタンを押下して放送チャンネルを選択すると、番組情報表示装置１００はその放送チャンネルの放送波を受信する。番組情報取得部１１０は、番組情報表示装置１００が放送波を受信する毎に放送波から番組情報を取得し、適当な記憶装置に格納する。
【００２７】
（ステップ１：番組情報の取得：番組情報取得タイミングの例その３）
ユーザは、リモコンなどの操作装置を操作して、番組情報を取得（または表示）すべき旨を番組表示装置１００に指示する。番組情報取得部１１０は、適当な受信インターフェースなどを介して操作装置からその指示を受け取り、放送波または番組情報提供サーバなどから番組情報を取得し、適当な記憶装置に格納する。
【００２８】
（ステップ２：番組情報を表示するように指示する）
ユーザは、リモコンなどの操作装置を操作して、番組情報を表示すべき旨を番組情報表示装置１００に指示する。制御部１３０は、適当な受信インターフェースなどを介して、操作装置からその指示を受け取る。
【００２９】
（ステップ３：現在時刻を取得する）
制御部１３０は、時刻取得部１２０を介して、現在時刻を取得する。
【００３０】
（ステップ４：番組情報を表示する）
（ステップ４：番組情報を表示する：現在時刻周辺のセルについて）
制御部１３０は、記憶装置に格納している番組情報を読み出し、番組表の形式に整形して、表示部１４０に画面表示させる。このとき、ステップ３で取得した現在時刻以降で同時刻に最も近い時間帯のセルについては、時間軸方向のサイズを、同時刻以外の時間帯において表示するときよりも大きくする。図３の例では、現在時刻１９：０３に放送中の番組情報を表示するセルは、通常表示時よりも時間軸方向に拡大されているため、ユーザはより多くの番組情報を見ることができる。なお、拡大方向は、時間の進行方向（図３の下方向）とし、時間進行に逆行する方向には拡大しないようにする。
【００３１】
（ステップ４：番組情報を表示する：それ以外のセルについて）
制御部１３０は、拡大表示するセル以外のセルについては、時間軸方向のサイズを縮小して表示する。図２〜図３の例では、＜番組情報４＞、＜番組情報７＞、および＜番組情報１２＞を表示するセルは、上方のセルが時間軸方向に拡大されていることにともない、時間進行方向（図３の下方向）に向かって縮小されている。
【００３２】
図４は、番組情報の構成が図２〜図３とは異なる例を示す図である。図４（ａ）は図２（ｂ）の従来例その２で説明した手法を採用した場合、図４（ｂ）は本実施の形態１の手法を採用した場合の表示例を示す。なお、現在時刻は１８：０３であると仮定する。
【００３３】
図４（ａ）では、チャンネル１／ＰＭ６のセルにフォーカスが当たっているため、同セルが時間軸方向に拡大されており、その他のセルのサイズは、従前のままであるものとする。
【００３４】
図４（ｂ）では、いずれのセルにもフォーカスが当たっていないが、現在時刻である１８：０３にかかっている各セル（番組情報１、番組情報５、番組情報７を表示するセル）のサイズが、時間軸方向に拡大されている。そのため、ユーザは現在放送されている各チャンネルの番組情報を一覧的に見易く把握することができるので、ユーザにとって便宜である。
【００３５】
このように、本実施の形態１に係る番組情報表示装置１００は、番組情報の構成によっては、従来手法では拡大表示されないセルを自動的に拡大表示することができるので、ユーザの操作負担や番組情報の一覧性の観点から有利である。
【００３６】
以上、本実施の形態１に係る番組情報表示装置１００の動作を説明した。
【００３７】
なお、図３で説明したような、現在時刻周辺のセルを拡大する動作に加えて、カーソルのフォーカスが当たっているセルを拡大するようにしてもよい。この場合は、現在時刻周辺のセル以外であっても、カーソルのフォーカスが当たっているセルは、拡大表示される。
【００３８】
本実施の形態１において、現在時刻以降で同時刻に最も近い時間帯のセルを拡大表示する際に、時間軸方向のサイズを拡大することを説明したが、チャンネル軸方向にサイズを拡大してもよい。以降の実施の形態でも同様である。
【００３９】
以上のように、本実施の形態１によれば、表示部１４０（制御部１３０）は、番組情報を表示する時点の時刻（現在時刻）以降で同時刻に最も近い時間帯の番組情報を表示するセルを、それ以外の時間帯において表示するときよりも大きく拡大して表示する。これにより、ユーザに操作負担をかけることなく、より多くの番組情報をユーザに見易く提示することができる。また、ユーザが関心を持っている番組は、現在時刻に最も近い番組であることが多いと思われるため、上記手法はユーザの関心を反映しているということもできる。そのため、ユーザは関心のある番組情報を即座に把握することができ、使い勝手の観点からも好ましい。
【００４０】
また、本実施の形態１によれば、表示部１４０（制御部１３０）は、現在時刻と同じ時間帯に属する番組情報を表示する各セルの時間軸方向のサイズを、それぞれ同期して拡大する。そのため、ユーザにカーソル操作などの負担をかけることなく、複数のセルを自動的に拡大表示することができるので、ユーザの操作負担を軽減する観点、および情報の一覧性を向上させる観点から有利である。
【００４１】
また、本実施の形態１によれば、表示部１４０（制御部１３０）は、現在時刻以降で同時刻に最も近い時間帯の番組情報を表示するセルを、時間軸方向に拡大して表示する際に、同セルと時間軸方向に並んでいるその他のセルのサイズを、時間軸方向に縮小して表示する。これにより、ユーザの関心が少ないと思われるセル、すなわち現在時刻から離れているセルが表示する情報量を少なくして、その分を現在時刻に最も近いセルに割り当てることができる。これは、ユーザの関心が低いと思われる番組に関する情報量を削減し、これに代えて関心が高いと思われる番組の情報量を増やすことを意味する。すなわち、情報量を減らしても支障の少ないセルを縮小することにより、番組表全体としてユーザに提供する情報量を実質的に減らすことなく、必要な情報を効率的に提供することができる。
【００４２】
＜実施の形態２＞
実施の形態１では、現在時刻に最も近いセルを拡大表示することを説明した。本発明の実施の形態２では、拡大表示する対象とするセルを増やし、現在時刻に最も近い時間帯以降のセルについても拡大表示する例を説明する。
【００４３】
図５は、本実施の形態２において表示部１４０が表示する番組情報の表示形式を示す図である。ここでは、図２と同じ番組情報を用いた。なお、図５の画面を表示している時点の時刻を、１７：０３であると仮定する。
【００４４】
本実施の形態２において、制御部１３０は、現在時刻にかかるセルのみでなく、現在時刻から所定時間範囲（例えば２時間）以内に含まれるセルのサイズを、全て拡大する。図５では、説明の便宜上、拡大前後に係る画面イメージを示したが、実際には図５（ａ）の画面は表示されない。
【００４５】
図５に示す例では、現在時刻１７：０３から２時間以内のセルが全て拡大表示される。これにともない、画面左端に表示されている時間幅のサイズも、拡大されることになる。結果として、拡大表示後は、ＰＭ５時台とＰＭ６時台の番組情報セルが拡大表示されることになる。
【００４６】
拡大表示により、ＰＭ５時台とＰＭ６時台の番組については、より多くの番組情報が表示されている。また、拡大表示前はセルが小さいため表示されていなかった番組情報８および番組情報９が表示されている。なお、ＰＭ５時台とＰＭ６時台のセルが拡大表示された分、ＰＭ７時台のセルは縮小表示されている。
【００４７】
以上、本実施の形態２に係る番組情報表示装置１００の動作を説明した。なお、上記所定時間範囲の値は、制御部１３０の動作に組み込んでおいてもよいし、適当な記憶装置にあらかじめ格納しておいてもよい。また、ユーザがその値を書き換えることができるように、設定画面などを設けてもよい。
【００４８】
以上のように、本実施の形態２によれば、表示部１４０（制御部１３０）は、現在時刻から所定の時間範囲内に含まれる時間帯のセルを、それ以外の時間帯において表示するときよりも大きく拡大して表示する。これにより、ユーザに操作負担をかけることなく、実施の形態１よりも多くの番組情報を提示することができる。
【００４９】
＜実施の形態３＞
実施の形態１〜２では、現在時刻以降の時間帯のセルを時間軸方向に拡大することを説明した。また、現在時刻以降のセルは、必要に応じて縮小することを説明した。このとき、図２〜図５で示した例のように、１画面内に表示する時間帯数（画面左端の１時間幅に相当するブロックの数）は、拡大表示の前後で同数に維持されている。
【００５０】
本発明の実施の形態３では、セルを拡大表示する際に、１画面内に表示する時間帯数を削減する動作例について説明する。
【００５１】
図６は、本実施の形態３において表示部１４０が表示する番組情報の表示形式を示す図である。ここでは、図５と同じ番組情報を用いた。なお、図６の画面を表示している時点の時刻を、１７：０３であると仮定する。
【００５２】
本実施の形態３において、制御部１３０は、現在時刻に最も近い時間帯のセルのサイズを拡大するにともなって、１画面中に表示する時間帯数を削減する。図５（ｂ）と図６を比較すると、ＰＭ７時台の時間帯が削除され、その分だけＰＭ５時台とＰＭ６時台の時間幅が増えていることが分かる。なお、図６ではＰＭ７時台のみ削減したが、より多くの時間帯を削減することもできる。削減する数が多いほど、単一のセル内で表示することのできる番組情報が増える。
【００５３】
以上のように、本実施の形態３によれば、表示部１４０（制御部１３０）は、現在時刻に最も近い時間帯のセルのサイズを拡大する際に、１画面中に表示する時間帯数、すなわち時間軸方向のセル数を規定値以下に再設定して、番組表を表示する。これにより、ユーザの関心が少ないと思われる時間帯の番組情報を画面から消去し、その分を現在時刻に近い時間帯のセルに割り当てることができる。
【００５４】
なお、本実施の形態３で説明した動作は、実施の形態１〜２いずれかと組み合わせて用いることもできる。
【００５５】
＜実施の形態４＞
実施の形態１〜３では、現在時刻に最も近い時間帯のセルを拡大表示することを説明した。一方、それ以外のセルを拡大表示したい場合には、その時間帯をユーザに指定させ、該当する番組情報が存在すればそのセルを拡大表示する、という手法も考えられる。本発明の実施の形態４では、これを実現する構成と動作例を説明する。
【００５６】
図７は、本実施の形態４に係る番組情報表示装置１００の機能ブロック図である。実施の形態１の図１で説明した構成に加えて、新たに時刻指定部１５０が追加されている。その他の構成は図１と概ね同様であるため、以下では差異点を中心に説明する。
【００５７】
時刻指定部１５０は、番組表のセルを拡大する時刻をユーザが指定するためのインターフェースである。時刻指定部１５０は、例えばボタンなどの押下キー、リモコンより時刻指定信号を受け取るための受信部、などの形態で実装することができる。
【００５８】
図８は、本実施の形態４において表示部１４０が表示する番組情報の表示形式を示す図である。なお、図８の画面を表示している時点の時刻を、１８：０３であると仮定する。図８（ａ）はユーザが時刻指定部１５０に対して時刻を指定する前、図８（ｂ）は時刻を指定した後の画面イメージである。
【００５９】
本実施の形態４において、制御部１３０は、原則として実施の形態１〜３と同様の動作を実行する。すなわち、現在時刻が１８：０３であれば、同時間帯に含まれるセルを拡大表示する。図８の例では、番組情報１、番組情報５、番組情報７を表示するセルが拡大表示されている。
【００６０】
図８（ａ）の状態の下で、ユーザが時刻指定部１５０に対し、１９：００に放送中の番組情報を表示しているセルを拡大表示するように指示したものと仮定する。この指示は、例えばリモコンの該当するキーを押下して「１９００」などと入力する、番組情報表示装置１００本体が備える該当キーを押下する、などの操作によって行われる。時刻指定部１５０は、上記の旨を制御部１３０に通知する。
【００６１】
制御部１３０は、上記の通知を受けると、１９：００に係る番組情報を表示するセル（番組情報３、番組情報６、番組情報１１）の時間軸方向のサイズを拡大して番組表を再表示する。図８の例では、番組情報３、番組情報６、番組情報１１を表示するセルがこれに該当する。
【００６２】
図８（ｂ）は、１９：００に係る番組情報を表示するセルを拡大して再表示した結果である。上記各セルが拡大表示され、より多くの番組情報が表示されている。始めからサイズが十分に大きい＜番組情報１１＞については、元のサイズのままとしている。なお、セルの拡大にともない、ＰＭ８時台のセルは縮小されている。
【００６３】
以上、本実施の形態４に係る番組情報表示装置１００の動作を説明した。なお、現在時刻に係るセル、時刻指定部１５０が指定する時刻に係るセルともに、カーソルによるフォーカスが当たっているか否かを問わず、セルのサイズが拡大されている。すなわち、セルのサイズを拡大するに当たり、ユーザは必ずしもカーソルを移動させる必要はない。
【００６４】
以上のように、本実施の形態４によれば、表示部１４０は、時刻指定部１５０が指定する時刻に係る番組情報を表示するセルを、それ以外の時間帯において表示するときよりも拡大して表示する。これにより、ユーザは現在時刻以外の任意の時間帯のセルを拡大表示することができる。
【００６５】
なお、本実施の形態４で説明した構成と動作は、実施の形態１〜３いずれかと組み合わせて用いることもできる。
【００６６】
＜実施の形態５＞
以上の実施の形態１〜４において、現在時刻に係る番組情報を表示するセルを拡大表示するか否かを、ユーザが指定できるようにしてもよい。例えば、以下の（ステップ１）〜（ステップ３）で説明するような手法が考えられる。
【００６７】
（ステップ１）リモコンや番組情報表示装置１００本体に「拡大表示ＯＮ／ＯＦＦ」などのボタンをあらかじめ設けておく。
（ステップ２）番組情報表示装置１００の制御部１３０は、適当なインターフェースを介して、そのボタンが押下された旨の信号を受け取る。
（ステップ３）制御部１３０は、その信号が指示する内容に応じて、拡大表示をＯＮ／ＯＦＦする。
【００６８】
以上のように、本実施の形態５によれば、セルが自動的に拡大表示されることがユーザにとって煩わしく感じる場合でも、必要に応じて拡大表示機能を任意にＯＮ／ＯＦＦすることができる。
【００６９】
＜実施の形態６＞
以上の実施の形態１〜５において、表示部１４０（制御部１３０）は、現在時刻に係る番組情報を表示するセルを拡大表示した後、例えば１５秒などの所定時間が経過した後に拡大表示を自動的に解除するようにしてもよい。これにより、ユーザが番組情報を把握するに十分な時間だけ拡大表示を行った後は、表示を自動的に元に戻すことができるので、セルのサイズを不要に拡大表示し続けずに済む。
【００７０】
＜実施の形態７＞
以上の実施の形態１〜６において、ユーザが番組表上でカーソルを移動させ、現在時刻に係るセルが画面上から消えた場合は、拡大表示していたセルのサイズを（画面外において）元に戻してもよい。サイズを元に戻すことにより、縮小されていたセルのサイズも元に戻すことができる。
【００７１】
なお、実施の形態４で説明した、時刻指定部１５０を備える構成の下で、画面上に表示されていない時刻を指定した場合は、エラー表示をしてもよいし、指定された時刻に係るセルを画面外で拡大表示して、以降のセルを縮小してもよい。
【００７２】
また、ユーザが番組表上でカーソルを移動させ、現在時刻に係るセルが画面上から消えている状態で、時刻指定部１５０が画面上の時刻を指定したときは、その時刻に係るセルを拡大表示してもよい。
【００７３】
＜実施の形態８＞
以上の実施の形態１〜７で説明した番組情報表示装置１００は、単体で用いてもよいし、他の電子機器に組み込んでもよい。例えば、テレビ放送受信装置に番組情報表示装置１００を組み込んで、番組情報表示機能を付与してもよいし、ビデオレコーダに番組情報表示装置１００を組み込んでもよい。
【００７４】
なお、番組情報表示装置１００が備える各機能部は、ソフトウェアプログラムとして実装することもできる。さらには、そのソフトウェアプログラムをＣＤ−ＲＯＭやＤＶＤなどの記憶媒体に格納して遠隔地などに搬送することもできる。
【符号の説明】
【００７５】
１００：番組情報表示装置、１１０：番組情報取得部、１２０：時刻取得部、１３０：制御部、１４０：表示部、１５０：時刻指定部。
【図１】
2011009954.tif 000003
【図４】
2011009954.tif 000004
【図２】
2011009954.tif 000005
【図３】
2011009954.tif 000006
【図５】
2011009954.tif 000007
【図６】
2011009954.tif 000008
【図７】
2011009954.tif 000009
【図８】
2011009954.tif 000010